(57)【要約】【課題】従来より緩衝機能が高く、使い勝手に優れる緩衝プレートを提供する。【解決手段】本発明の緩衝プレート１０が備える凹凸面１５では、山部１６と谷部１７とが二次元的に交互に並んでいるので、荷物９０からの負荷を、纏まった広い面ではなく、二次元的に分散した複数の山部１６で受けることができ、緩衝機能が従来より高くなる。これにより、従来より荷物９０を衝撃から厚く保護することができる。また、山部１６と谷部１７とが滑らかに連続しているので、荷物９０の凹凸に緩衝プレート１０の凹凸面１５の谷部１７又は山部１６が引っ掛かり難く、応力集中も防がれ、耐久性にも優れる。【選択図】図１
2018177270.tif 000002
【特許請求の範囲】
【請求項１】
山部と谷部とが二次元的に交互に並んで滑らかに連続する凹凸面を表裏の少なくとも一方に備える緩衝プレート。
【請求項２】
前記緩衝プレートの外形が四角形をなし、
複数の前記谷部が前記山部を挟まずに一直線上に並ぶ谷ラインと、複数の前記山部が前記谷部を挟まずに一直線上に並ぶ山ラインとが、前記緩衝プレートの縦横両方向に対して斜めに交差している請求項１に記載の緩衝プレート。
【請求項３】
前記凹凸面を表裏の両方に備え、
表裏の一方の前記凹凸面の前記山部の裏側が、他方の前記凹凸面の前記谷部をなし、
表裏の一方の前記凹凸面の前記谷部の裏側が、他方の前記凹凸面の前記山部をなしている請求項１又は２に記載の緩衝プレート。
【請求項４】
前記緩衝プレートの外形が四角形をなし、その１対の第１対角のコーナー部の形状が、互いに略同一でかつ１対の第２対角のコーナー部の形状と相違し、
２つの緩衝プレートを、形状が略同一の前記コーナー部同士を対向させて重ねると、前記２つの緩衝プレートの一方の前記山部が他方の前記谷部に嵌合する一方、形状が相違する前記コーナー部同士を対向させて重ねると、前記２つの緩衝プレートの前記山部同士が突き合わされる請求項３に記載の緩衝プレート。
【発明の詳細な説明】
【技術分野】
【０００１】
本発明は、凹凸面を表裏の少なくとも一方に備える緩衝プレートに関する。
【背景技術】
【０００２】
従来、この種の緩衝プレートとして、表裏の両面に段付き状に陥没した複数の凹部を有するものが知られている（例えば、特許文献１参照）。
【先行技術文献】
【特許文献】
【０００３】
【特許文献１】実用新案登録第３１７５９１１号公報（図１）
【発明の概要】
【発明が解決しようとする課題】
【０００４】
しかしながら、上述した従来の緩衝プレートでは、緩衝機能が低いという問題に加え、凹部のエッジに荷物に引っ掛かり易く、凹部にゴミが溜まり易い等のために、使い勝手が悪いという問題があった。
【０００５】
本発明は、上記事情に鑑みてなされたもので、従来より緩衝機能が高く、使い勝手に優れる緩衝プレートの提供を目的とする。
【課題を解決するための手段】
【０００６】
上記目的を達成するためになされた請求項１の発明は、山部と谷部とが二次元的に交互に並んで滑らかに連続する凹凸面を表裏の少なくとも一方に備える緩衝プレートである。
【０００７】
請求項２の発明は、前記緩衝プレートの外形が四角形をなし、複数の前記谷部が前記山部を挟まずに一直線上に並ぶ谷ラインと、複数の前記山部が前記谷部を挟まずに一直線上に並ぶ山ラインとが、前記緩衝プレートの縦横両方向に対して斜めに交差している請求項１に記載の緩衝プレートである。
【０００８】
請求項３の発明は、前記凹凸面を表裏の両方に備え、表裏の一方の前記凹凸面の前記山部の裏側が、他方の前記凹凸面の前記谷部をなし、表裏の一方の前記凹凸面の前記谷部の裏側が、他方の前記凹凸面の前記山部をなしている請求項１又は２に記載の緩衝プレートである。
【０００９】
請求項４の発明は、前記緩衝プレートの外形が四角形をなし、その１対の第１対角のコーナー部の形状が、互いに略同一でかつ１対の第２対角のコーナー部の形状と相違し２つの緩衝プレートを、形状が略同一の前記コーナー部同士を対向させて重ねると、前記２つの緩衝プレートの一方の前記山部が他方の前記谷部に嵌合する一方、形状が相違する前記コーナー部同士を対向させて重ねると、前記２つの緩衝プレートの前記山部同士が突き合わされる請求項３に記載の緩衝プレートである。
【発明の効果】
【００１０】
請求項１の緩衝プレートが備える凹凸面では、山部と谷部とが二次元的に交互に並んでいるので、荷物からの負荷を、纏まった広い面ではなく、二次元的に分散した複数の山部で受けることができ、緩衝機能が従来より高くなる。これにより、従来より荷物を衝撃から厚く保護することができる。また、山部と谷部とが滑らかに連続しているので、荷物の凹凸に緩衝プレートの凹凸面の谷部又は山部が引っ掛かり難く、応力集中も防がれ、耐久性にも優れる。これに加え、凹凸面にゴミが溜まり難く、凹凸面が汚れても容易に拭き取ることができるという効果も奏する。即ち、本発明の緩衝プレートは、従来より使い勝手に優れる。
【００１１】
請求項２の緩衝プレートでは、複数の谷部が山部を挟まずに一直線上に並ぶ谷ラインと、複数の山部が谷部を挟まずに一直線上に並ぶ山ラインとが、緩衝プレートの縦横両方向に対して斜めに交差しているので、横並びになって起立する荷物同士の間に緩衝プレートを挿入する場合に、それら荷物の上下方向又は水平方向に延びた角部や溝部に、緩衝プレートの谷ライン又は山ラインが引っ掛かり難い。
【００１２】
請求項３の緩衝プレートでは、表裏の一方の凹凸面の山部の裏側が、他方の凹凸面の谷部をなし、表裏の一方の凹凸面の谷部の裏側が、他方の凹凸面の山部をなしているので、山部の潰れ代を大きく確保することができ、この点においても緩衝機能が高くなる。
【００１３】
請求項４の構成では、２つの緩衝プレートを、形状が略同一のコーナー部同士を対向させて重ねると、２つの緩衝プレートの一方の山部が他方の谷部に嵌合する一方、形状が相違するコーナー部同士を対向させて重ねると、２つの緩衝プレートの山部同士が突き合わされる。これにより、二枚重ねにする緩衝プレートの重ね合わせ方を変えて、二枚重ねになった緩衝プレートの全体の厚さを荷物の隙間の大きさに応じて変えることができる。
【図面の簡単な説明】
【００１４】
【図１】本発明の第１実施形態に係る緩衝プレートの斜視図
【図２】緩衝プレートの一部を拡大した斜視図
【図３】緩衝プレートの一部を拡大した斜視図
【図４】緩衝プレートの側面図
【図５】ネスティング状態の緩衝プレートの斜視図
【図６】スタッキング状態の緩衝プレートの斜視図
【図７】緩衝プレートの使用例の側断面図
【図８】緩衝プレートの使用例の側断面図
【図９】ネスティングした緩衝プレートの使用例の側断面図
【図１０】スタッキングした緩衝プレートの使用例の側断面図
【図１１】第２実施形態に係る緩衝プレートの表側の斜視図
【図１２】緩衝プレートの裏側の斜視図
【図１３】本発明の変形例に係る緩衝プレートの斜視図
【図１４】本発明の変形例に係る緩衝プレートの正面図
【発明を実施するための形態】
【００１５】
［第１実施形態］
以下、本発明の一実施形態を図１〜図１０に基づいて説明する。図１に示された本実施形態の緩衝プレート１０は、例えば、発泡樹脂（例えば、発泡ポリエチレンや発泡ポリプロピレン）のビーズを成形型内に充填して蒸気融着させるビーズ法型内成形による成形品であって、全体が例えば長方形の板状をなし、その横辺は縦辺の例えば略２倍になっている。
【００１６】
また、緩衝プレート１０は、表裏の外縁全体を枠形平坦面１１，１１によってそれぞれ縁取られ、それら表裏の枠形平坦面１１，１１の内側全体がそれぞれ本発明に係る凹凸面１５になっている。さらに、緩衝プレート１０の１対の第１対角のコーナー部２１は、所謂Ｃ面取りされた平面２１Ａを有するＣ面取形状をなす一方、残りの１対の第２対角のコーナー部２２は、所謂Ｒ面取りされた曲面２２Ａを有するＲ面取形状をなしている。
【００１７】
なお、図２に示すように、表裏の両枠形平坦面１１，１１と、それらの間の側面１２との角部には、Ｒ面取りによる円弧面１３，１３が形成され、それら円弧面１３，１３の間から側面１２全体が僅かに段付き状に突出している。
【００１８】
図１に示すように、凹凸面１５は、山部１６と谷部１７とが二次元的に交互に並んで滑らかに連続した形状になっている。具体的には、山部１６及び谷部１７は、緩衝プレート１０の縦辺と平行な第１方向Ｈ１と横辺と平行な第２方向Ｈ２との両方向においてそれぞれ交互に並んでいる。また、第１方向Ｈ１で並ぶ山部１６，１６同士の間のピッチと、第２方向Ｈ２で並ぶ山部１６，１６同士の間のピッチとは同じになっている。さらに、図２に示すように、表裏の一方の凹凸面１５の山部１６の裏側が、他方の凹凸面１５の谷部１７をなし、一方の凹凸面１５の谷部１７の裏側が、他方の凹凸面１５の山部１６をなして、山部１６と谷部１７とが互いに反転した形状になっている。そして、図４に示すように、緩衝プレート１０を側方から見ると、表裏の枠形平坦面１１，１１からそれぞれ山部１６が突出している。なお、図２及び図３には、山部１６と谷部１７と次述する山連絡部１８とが、ハッチングを相違させて示されている。
【００１９】
図２に示すように、第１方向Ｈ１及び第２方向Ｈ２に対して４５度傾斜する方向で隣り合う山部１６，１６同士の間には、山部１６と谷部１７との中間の高さをなして山部１６，１６同士を滑らかに連絡する山連絡部１８が備えられている。これら山連絡部１８は、緩衝プレート１０を側方から見ると、表裏の枠形平坦面１１，１１の間に位置して隠れる（図４参照）。
【００２０】
ここで、図２に示すように第１方向Ｈ１で並ぶ複数の山部１６を連絡する架空の第１基準線Ａと、第２方向Ｈ２で並ぶ複数の山部１６を連絡する架空の第２基準線Ｂとすると、第１基準線Ａ，Ａ同士の線間距離、及び、第２基準線Ｂ，Ｂ同士の線間距離は、第１方向Ｈ１及び第２方向Ｈ２で並ぶ山部１６，１６同士の間のピッチの半分になっている。また、凹凸面１５と枠形平坦面１１の４辺との境界線Ｌ１は、それら境界線Ｌ１に最も近い第１基準線Ａ又は第２基準線Ｂから、上記線間距離の半分の距離（即ち、第１方向Ｈ１及び第２方向Ｈ２で並ぶ山部１６，１６同士の間のピッチの１／４）だけ離れた位置に配置されている。
【００２１】
また、図３に示すように、第１方向Ｈ１に対して一方に４５度傾斜した方向においては、複数の山部１６が谷部１７を挟まずに一直線上に並ぶ山ラインＣと、複数の谷部１７が山部１６を挟まずに一直線上に並ぶ谷ラインＤとが交互に並び、第１方向Ｈ１に対して他方に４５度傾斜した方向においても、同様に山ラインＣと谷ラインＤとが交互に並んでいる。ここで、山ラインＣは、山連絡部１８群から山部１６群が突出する一方、谷ラインＤは、山連絡部１８群から谷部１７群が陥没するので、山ラインＣ全体に対して谷ラインＤ全体が、山連絡部１８から山部１６の高さ分だけ陥没した状態になっている。そして、そのような山ラインＣ及び谷ラインＤが、本実施形態の緩衝プレート１０では、縦横両方向に対して４５度傾斜した方向に延びている。
【００２２】
さらに、図１に示すように、緩衝プレート１０の表側面では、凹凸面１５の四隅の全ての角部の中心線上に谷ラインＤが位置しかつ、それら谷ラインＤ上の山連絡部１８が凹凸面１５の四隅に配置されている。一方、緩衝プレート１０の裏側面では、図示しないが凹凸面１５の四隅の全ての角部の中心線上に山ラインＣが位置しかつ、それら山ラインＣ上の山連絡部１８が凹凸面１５の四隅に配置されている。これにより、緩衝プレート１０を２枚重ねにする際に、一方の緩衝プレート１０の裏側面に他方の緩衝プレート１０の表側面を重ねると、図５に示すように、２つの緩衝プレートの一方の山部１６が他方の谷部１７に嵌合した、所謂、ネスティング状態になる。一方、２つの緩衝プレート１０，１０の裏側面同士又は表側面同士を重ねると、図６に示すように２の緩衝プレート１０，１０の山部同士が突き合わされた、所謂、スタッキング状態になる。
【００２３】
また、ネスティング状態の２つの緩衝プレート１０，１０の間では、Ｃ面取形状のコーナー部２１，２１同士とＲ面取形状のコーナー部２２，２２同士とが重なり（図５参照）、スタッキング状態の２つの緩衝プレート１０，１０の間では、Ｃ面取形状のコーナー部２１とＲ面取形状のコーナー部２２とが重なる（図６）。換言すれば、緩衝プレート１０を二枚重ねにする際に、同一形状のコーナー部２１，２２を重ねるか、異なる形状のコーナー部２１，２２を重ねるかによって、ネスティング状態とスタッキング状態とを選択することができる。
【００２４】
なお、上記した凹凸面１５は、互いに同じ波長、同じ波高で互いに直交する２つのｓｉｎ波形の連続波を重ね合わせた構造、と特定することもできる。そのように特定した場合には、上記２つの連続波の波山同士が重なって山部１６になり、波谷同士が重なって谷部１７になり、さらに、波山と波谷とが重なって山連絡部１８になる。
【００２５】
本実施形態の緩衝プレート１０の構成に関する説明は以上である。次に、この緩衝プレート１０の作用効果について説明する。この緩衝プレート１０は、例えば、図７に示すように横並びになった荷物９０，９０同士の間の隙間に配置して使用する。
【００２６】
ここで、本実施形態の緩衝プレート１０が備える凹凸面１５では、山部１６と谷部１７とが二次元的に交互に並んでいるので、荷物９０からの負荷を、纏まった広い面ではなく、二次元的に分散した複数の山部１６で受けることができ、緩衝機能が従来より高くなる。また、この緩衝プレート１０は、凹凸面１５を表裏の両方に備え、表裏の一方の凹凸面１５の山部１６の裏側が他方の凹凸面１５の谷部１７をなし、一方の凹凸面１５の谷部１７の裏側が他方の凹凸面１５の山部１６をなしているので、山部１６の潰れ代を大きく確保することができ、この点においても緩衝機能が高くなる。これらにより、従来より荷物を衝撃から厚く保護することができる。
【００２７】
さらに、凹凸面１５の山部１６と谷部１７とが滑らかに連続しているので、荷物９０の凹凸に、緩衝プレート１０の凹凸面１５の山部１６又は谷部１７が引っ掛かり難い。しかも、図３に示すように、複数の谷部１７が山部１６を挟まずに一直線上に並ぶ谷ラインＤと、複数の山部１６が谷部１７を挟まずに一直線上に並ぶ山ラインＣとが、緩衝プレート１０の縦横両方向に対して斜めに交差しているので、横並びになって起立する荷物９０，９０同士の間に緩衝プレート１０を抜き差しする場合に、それら荷物９０の上下方向又は水平方向に延びる角部９２や溝部９３に、緩衝プレート１０の谷ラインＤ又は山ラインＣが引っ掛かるような事態も回避することができる。また、図８に示すように、荷物９０が、複数の円柱形の製品９１を束ねてなるような場合であっても、それら各製品９１のそれぞれに緩衝プレート１０の谷部１７を宛がって衝撃を吸収することができる。
【００２８】
また、凹凸面１５の山部１６と谷部１７とが滑らかに連続していることで、谷部１７にゴミが溜まり難く、凹凸面１５が汚れても容易に拭き取ることができるという効果も奏する。さらには、応力集中が防がれ、耐久性が高いので曲げて使用することもできる。即ち、本実施形態の緩衝プレート１０は、従来より使い勝手に優れる。
【００２９】
また、図５に示すように、２つの緩衝プレート１０，１０を、形状が略同一のコーナー部２２，２２同士を対向させて重ねると、２の緩衝プレート１０，１０の一方の山部１６が他方の谷部１７に嵌合し、図６に示すように、２つの緩衝プレート１０，１０を、形状が相違するコーナー部２１，２２同士を対向させて重ねると、２つの緩衝プレート１０，１０の山部１６，１６同士が突き合わされる。これにより、二枚重ねにする緩衝プレート１０，１０の重ね合わせ方を変えて、図９及び図１０に比較して示すように、二枚重ねになった緩衝プレート１０，１０の全体の厚さを荷物９０，９０の隙間の大きさに応じて変えることができる。この点においても、本実施形態の緩衝プレート１０は、従来より使い勝手に優れる。
【００３０】
［第２実施形態］
図１１には、本実施形態の緩衝プレート１０Ｖの表側面が示され、その緩衝プレート１０Ｖの裏側面が図１２に示されている。本実施形態の緩衝プレート１０Ｖは、前記第１実施形態の緩衝プレート１０Ｖの表裏の中央に、本発明に係る「凹凸面」に相当しない情報表示面３０を備える。そして、本発明に係る凹凸面１５が情報表示面３０と枠形平坦面１１とを除く緩衝プレート１０Ｖの表裏全体に形成されると共に、裏側面の凹凸面１５に複数の平坦面３１が形成されている。
【００３１】
情報表示面３０は、例えば全体が四角形をなし、枠形平坦面１１と面一の平坦面に管理番号、緩衝プレート１０Ｖの所有者名又は製造者名を刻印してなる。また、平坦面３１は、凹凸面１５における一部複数の山部１６の頂上部分を切除してなる円形状の平坦面であり、緩衝プレート１０Ｖを成形する成形金型の供給フィーダーによって成形される。
【００３２】
［他の実施形態］
本発明は、実施形態に限定されるものではなく、例えば、以下に説明するような実施形態も本発明の技術的範囲に含まれ、さらに、下記以外にも要旨を逸脱しない範囲内で種々変更して実施することができる。
【００３３】
（１）前記第１及び第２の実施形態の緩衝プレート１０，１０Ｖは、全体が四角形であったが、緩衝プレートの全体形状は四角形に限定されるものではなく、例えば、図１３に示した緩衝プレート１０Ｗのように全体形状が円形であってもよい。
【００３４】
（２）前記第１及び第２の実施形態の緩衝プレート１０，１０Ｖでは、山部１６と谷部１７とが交互に並ぶ第１基準線Ａと第２基準線Ｂとが９０度に交差していたが、図１４に示した緩衝プレート１０Ｘのように第１基準線Ａと第２基準線Ｂとが９０度以外の角度で交差していてもよい。なお、図１４には、山部１６が「○」、谷部１７が「×」で示されている。
【００３５】
（３）また、図１４に示した緩衝プレート１０Ｘのように、山ラインＣ及び谷ラインＤとが、縦横両方向に対して平行に延びる構成としてもよい。
【００３６】
（４）前記第１及び第２の実施形態の緩衝プレート１０，１０Ｖは、表裏の両面に凹凸面１５を備えていたが、一方にのみ凹凸面１５を備えた構成としてもよい。
【符号の説明】
【００３７】
１０，１０Ｖ，１０Ｗ，１０Ｘ    緩衝プレート
１５    凹凸面
１６    山部
１７    谷部
１８    山連絡部
２１，２２    コーナー部
Ｃ    山ライン
Ｄ    谷ライン
【図１】
2018177270.tif 000003
【図２】
2018177270.tif 000004
【図３】
2018177270.tif 000005
【図４】
2018177270.tif 000006
【図５】
2018177270.tif 000007
【図６】
2018177270.tif 000008
【図７】
2018177270.tif 000009
【図８】
2018177270.tif 000010
【図９】
2018177270.tif 000011
【図１０】
2018177270.tif 000012
【図１１】
2018177270.tif 000013
【図１２】
2018177270.tif 000014
【図１３】
2018177270.tif 000015
【図１４】
2018177270.tif 000016